(57)【要約】      （修正有）【課題】良好な美観を得るとともに、ほつれの問題を解消可能なコンシールファスナー付き無縫製布構造体を提供する。【解決手段】コンシールファスナー付き無縫製布構造体１０は、ファスナーテープ１と、コンシールスライダー２と、２枚の表地３とを含み、ファスナーテープ１は、互いに表裏の関係にある２つの正面１２及び２つの背面と、内側に設けられる２つのエレメントとを有する２つのテープ体１１を備え、コンシールスライダー２は、２つのテープ体１１にスライド可能に取り付けられ、２つの背面に連結されて２つのエレメントを噛合又は分離させるスライダー本体と、２つの正面１２から露出してスライダー本体に繋がる引手２２とを備え、２枚の表地３は、２つの正面１２に貼着され、引手２２の両側に配置される。【選択図】図１
0003228909.tif 000002
【実用新案登録請求の範囲】
【請求項１】
互いに表裏の関係にある２つの正面（１２）及び２つの背面と、内側に設けられる２つのエレメント（１４）とを有する２つのテープ体（１１）を備えるファスナーテープ（１）と、
前記２つの背面に連結され、前記２つのエレメント（１４）を噛合又は分離させるスライダー本体（２１）と、前記２つの正面（１２）から露出し、前記スライダー本体（２１）に繋がる引手（２２）とを備え、前記２つのテープ体（１１）にスライド可能に取り付けられるコンシールスライダー（２）と、
前記２つの正面に貼着され、前記引手（２２）の両側に配置される２枚の表地（３）と、を含む、
コンシールファスナー付き無縫製布構造体。
【請求項２】
前記表地（３）は、防水材料で構成される請求項１に記載のコンシールファスナー付き無縫製布構造体。
【請求項３】
前記表地（３）は、ポリ塩化ビニル、ポリウレタン、熱可塑性ポリウレタン又はゴム材料で構成されている請求項２に記載のコンシールファスナー付き無縫製布構造体。
【請求項４】
前記スライダー本体（２１）には前記２つの正面（１２）に露出したフック（２１１）が延び、前記フック（２１１）にはリング（２１２）が設けられ、前記引手（２２）が前記リング（２１２）に繋がる請求項２に記載のコンシールファスナー付き無縫製布構造体。
【請求項５】
前記２つの正面（１２）と前記２枚の表地（３）の間に縫着される固定片（４１）と、前記２つのエレメント（１４）の一端から突出する隠しカバー（４２）とを有する収納部材（４）をさらに含み、前記フック（２１１）が前記隠しカバー（４２）に収納可能である請求項４に記載のコンシールファスナー付き無縫製布構造体。
【請求項６】
隠しカバー（４２）は、Ｕ字状のカバー体である請求項５に記載のコンシールファスナー付き無縫製布構造体。
【請求項７】
前記収納部材（４）は、ポリ塩化ビニル、ポリウレタン、熱可塑性ポリウレタン又はゴム材料で構成されている請求項５に記載のコンシールファスナー付き無縫製布構造体。
【考案の詳細な説明】
【技術分野】
【０００１】
本考案は、ファスナー構造に関し、特に、コンシールファスナー付き無縫製布構造体に関する。
【背景技術】
【０００２】
ファスナー構造は、ボタンよりも使い勝手が良く、構造強度が高いので、ファスナー構造は服飾やアクセサリーに広く応用されている。
【考案の概要】
【考案が解決しようとする課題】
【０００３】
しかしながら、上記ファスナー構造のファスナーテープと服飾やアクセサリーの表地とが縫い目を介して縫合されているため、服飾やアクセサリーの表面に縫い目が存在し、縫い目が引っ張られたり摩耗したりしてほつれが発生しやすくなり、服飾やアクセサリーの美観上問題がある。
【０００４】
以上に鑑みて、本考案者は、上記先行技術の欠点について、慎重に研究し、また、学理を活用して、上記問題点を解決することが本考案者の改良の目標となった。
【０００５】
本考案の目的は、表地とテープ体との間に縫い目がなく、良好な美観を得るとともに、ほつれの問題を解消可能なコンシールファスナー付き無縫製布構造体を提供することにある。
【課題を解決するための手段】
【０００６】
本考案の実施形態では、本考案に係るコンシールファスナー付き無縫製布構造体は、ファスナーテープと、コンシールスライダーと、２枚の表地とを含み、前記ファスナーテープは、互いに表裏の関係にある２つの正面及び２つの背面と、内側に設けられる２つのエレメントとを有する２つのテープ体を備え、前記コンシールスライダーは、前記２つのテープ体にスライド可能に取り付けられ、前記２つの背面に連結されて前記２つのエレメントを噛合又は分離させるスライダー本体と、前記２つの正面から露出して前記スライダー本体に繋がる引手とを備え、前記２枚の表地は、前記２つの正面に貼着され、前記引手の両側に配置される。
【考案の効果】
【０００７】
本考案によれば、コンシールスライダーが２つのテープ体にスライド可能に取り付けられ、コンシールスライダーのスライダー本体が２つのテープ体の２つの背面に連結され、２枚の表地が２つのテープ体の２つの正面に貼着されているので、スライダー本体は、正面に設けられた表地を噛み破ったり擦れたりすることがない。また、表地が防水材料で構成されているので、無縫製布構造体の防水効率及び使用寿命を向上させることができる。
【図面の簡単な説明】
【０００８】
【図１】本考案に係る無縫製布構造体の分解斜視図である。
【図２】本考案に係る無縫製布構造体の斜視図である。
【図３】本考案に係る無縫製布構造体の使用状態を示す概略図である。
【図４】本考案に係る無縫製布構造体の他の使用状態を示す概略図である。
【考案を実施するための形態】
【０００９】
本考案の実施の形態については、図面を参照して以下に説明する。以下の実施例は、本考案をより明確に説明するためのものであり、本考案の保護範囲を限定するものではない。
【００１０】
図１〜図４に示すように、本考案はコンシールファスナー付き無縫製布構造体を提供し、この無縫製布構造体１０は、主にファスナーテープ１と、コンシールスライダー２と、２枚の表地３とを含む。
【００１１】
ファスナーテープ１は、２つのテープ体１１を備える。２つのテープ体１１は、互いに表裏の関係にある２つの正面１２及び２つの背面を有する。即ち、テープ体１１は、一面が正面１２、もう一面が裏面である。また、２つのテープ体１１の内側には、２つのエレメント１４が設けられている。
【００１２】
コンシールスライダー２は、２つのテープ体１１にスライド可能に取り付けられる。コンシールスライダー２は、２つの背面に連結され、２つのエレメント１４を噛合又は分離させるスライダー本体２１と、２つの正面１２から露出し、スライダー本体２１に繋がる引手２２とを備える。
【００１３】
詳しくは、スライダー本体２１には２つの正面１２に露出したフック２１１が延び、フック２１１にはリング２１２が設けられ、引手２２がリング２１２に繋がる。
【００１４】
２枚の表地３は、接着剤で２つの正面１２に貼着されているとともに、引手２２の両側に配置されている。この２枚の表地３は、２つの正面１２に完全に貼着されている。即ち、２枚の表地３は、２つの正面１２の全面に貼り付けられている。
【００１５】
また、表地３は、ポリ塩化ビニル（Ｐｏｌｙｖｉｎｙｌ  Ｃｈｌｏｒｉｄｅ、ＰＶＣ）、ポリウレタン（Ｐｏｌｙｕｒｅｔｈａｎｅ、ＰＵ）、熱可塑性ポリウレタン（Ｔｈｅｒｍｏｐｌａｓｔｉｃ  ｐｏｌｙｕｒｅｔｈａｎｅｓ、ＴＰＵ）又はゴム材料等の防水材料で構成されており、表地３に防水効果を持たせることができる。
【００１６】
本考案に係る無縫製布構造体１０は、収納部材４をさらに含む。収納部材４は、２つの正面１２と２枚の表地３の間に縫着される固定片４１と、２つのエレメント１４の一端から突出する隠しカバー４２とを有する。使用者は、フック２１１が隠しカバー４２に隠れるまで、引手２２を用いて隠しカバー４２に近づく方向にフック２１１をスライドすることができる。ここで、隠しカバー４２はＵ字状のカバーブ体であるが、これに制限されない。
【００１７】
また、収納部材４は、ポリ塩化ビニル（Ｐｏｌｙｖｉｎｙｌ  Ｃｈｌｏｒｉｄｅ、ＰＶＣ）、ポリウレタン（Ｐｏｌｙｕｒｅｔｈａｎｅ、ＰＵ）、熱可塑性ポリウレタン（Ｔｈｅｒｍｏｐｌａｓｔｉｃ  ｐｏｌｙｕｒｅｔｈａｎｅｓ、ＴＰＵ）又はゴム材料等の防水材料で構成されており、収納部材４に防水効果を持たせることができる。
【００１８】
図３〜図４には、本考案に係る無縫製布構造体１０の使用状態が示されている。本考案に係る無縫製布構造体１０は、コンシールスライダー２が２つのテープ体１１にスライド可能に取り付けられ、２枚の表地３が２つのテープ体１１の２つの正面に貼着されていることにより、表地３とテープ体１１との間に縫い目がないので、表面に縫い目がなく、良好な美観を得るとともに、ほつれの問題を解消することができる。
【００１９】
また、コンシールスライダー２のスライダー本体２１が２つのテープ体１１の２つの背面に接続され、２枚の表地３が２つのテープ体１１の２つの正面に貼着されているため、スライダー本体２１は、正面１２に設けられた表地３を噛み破ったり擦れたりすることがなく、無縫製布構造体１０の使用寿命を向上させることができる。
【００２０】
さらに、従来のファスナー構造は、ファスナー構造の防水強度を高めるために、ファスナーテープの外側に防水塗料層がコーティングされるが、スライダーの開閉操作を長時間繰り返すと、スライダーが往々にファスナーテープの防水塗料層を噛み破ったり擦れたりしてしまい、ファスナー構造に水が浸透して防水能力を失うことがある。
【００２１】
これに対して、本考案に係る無縫製布構造体１０は、表地３が、防水材料の布であるので、従来の防水塗料層よりも防水効果があり、防水効率を向上させることができる。
【００２２】
また、本考案に係る無縫製布構造体１０は、隠しカバー４２を有し、フック２１１が隠しカバー４２に収納されることができる。隠しカバー４２は、防水材料の布であるため、水分がフック２１１とエレメント１４との隙間からファスナーテープ１の内部に侵入することを避け、無縫製布構造体１０の美観性及び防水性を強化することができる。
【００２３】
要約すると、本考案に係るコンシールファスナー付き無縫製布構造体は、従来技術の欠点を解決するという期待した使用目的を積極的に果たし得ることができ、新規性及び進歩性を大いに有し、実用新案申請の要件と完全に一致しているため、本考案を出願する。本願を慎重に審査し、本考案者の権利を保護するために実用新案権を付与して頂きたい。
【符号の説明】
【００２４】
１０  無縫製布構造体
１  ファスナーテープ
１１  テープ体
１２  正面
１４  エレメント
２  コンシールスライダー
２１  スライダー本体
２１１  フック
２１２  リング
２２  引手
３  表地
４  収納部材
４１  固定片
４２  隠しカバー
【図１】
0003228909.tif 000003
【図２】
0003228909.tif 000004
【図３】
0003228909.tif 000005
【図４】
0003228909.tif 000006